(57)【特許請求の範囲】
【請求項１】
クロージャ本体と、前記クロージャ本体の開放面を開閉可能に覆う蓋体と、前記クロージャ本体と前記蓋体とにより挟み込まれたフレームと、を備える光ケーブル接続用クロージャであって、
前記クロージャ本体は、ドロップケーブルを導出入するドロップケーブル導出入部を備え、
前記ドロップケーブル導出入部から導出入される前記ドロップケーブルを位置決め固定するドロップケーブル把持部が、前記フレームとプラスチック樹脂で一体成形されて前記クロージャ本体の外部に突出するように設けられ、
前記ドロップケーブル導出入部は、水平より下方に向く直線状のドロップケーブル導出入孔を有し、
前記ドロップケーブル把持部には、前記ドロップケーブル導出入孔の延長線上に、ドロップケーブル把持孔が形成されることを特徴とする光ケーブル接続用クロージャ。
【請求項２】
請求項１記載の光ケーブル接続用クロージャであって、
前記フレームには電柱等により支持された架空の吊線に該フレームを吊持させる吊持部がプラスチック樹脂で一体成形されることを特徴とする光ケーブル接続用クロージャ。
【発明の詳細な説明】
【技術分野】
【０００１】
本発明は、架空で光ケーブルとドロップケーブルとを接続する光ケーブル接続用クロージャに関する。
【背景技術】
【０００２】
光ケーブルを用いたネットワークの中で、加入者宅まで直接光ファイバを引き込む形態のＦＴＴＨ（Fiber To The Home）は、加入者宅の近くで電柱等により支持された架空の吊線に吊持させた光ケーブル接続用クロージャ内で、架空の光ケーブルから必要心数（１〜２心／加入者宅）を引き落とし、加入者宅に引き込むドロップケーブルに接続する。ここで使用される例えば特許文献１記載の光ケーブル接続用クロージャは、正面側を開放した略箱形のクロージャ本体と、このクロージャ本体内でクロージャ本体に固定されたフレームと、クロージャ本体の開放面を開閉可能に覆う蓋体とを備えており、フレームの両端に形成した吊持部を電柱等により支持された架空の吊線に吊持させて、通信事業者のネットワークの光ケーブルと加入者宅に引き込むドロップケーブルとを架空で接続する。
【０００３】
また、この光ケーブル接続用クロージャには、架空の光ケーブルを導出入する光ケーブル導出入部と、この光ケーブル導出入部から入る光ケーブルを支持するケーブル保持部と、ドロップケーブルを導出入するドロップケーブル導出入部と、光ケーブルから引き出した光ファイバ心線とドロップケーブルとを接続した接続部を収納する接続部収容トレイと、接続部収容トレイから引き出されるドロップケーブルを位置決め固定するドロップケーブル把持具とを、クロージャ本体内に配備している。
【先行技術文献】
【特許文献】
【０００４】
【特許文献１】特開２００８−２６２１２８号公報
【発明の概要】
【発明が解決しようとする課題】
【０００５】
しかしながら、従来の光ケーブル接続用クロージャは、一般的にフレームが金属製であり、この場合、フレームの両端に、金属製の吊持部がボルト等によって締結されるため、部品点数が増え、取り付け作業も発生し、軽量化の障害ともなる。また、クロージャ本体に形成されるドロップケーブル導出入部は、水平より下方に向くことで、雨水等によるドロップケーブル導出入部への飛水自体を起こりにくくし、ドロップケーブル導出入部に装備するシール部材への負担を低減させているが、クロージャ本体内部にドロップケーブル把持具があると、ドロップケーブルの剛性で必ずしもドロップケーブルがドロップケーブル導出入部に垂直に導入されるとは限らなかった。これに対し、ドロップケーブル規制部材を新たに設ければ、さらに部品点数が増え、取り付け作業も発生する上、軽量化の障害ともなり、外部に金属製部材を設ければ、塩害地域での腐食も危惧された。
【０００６】
本発明は上記状況に鑑みてなされたもので、その目的は、部品点数を削減し、組付けコストを低減でき、軽量化を図れるとともに、防水性も向上させることができる光ケーブル接続用クロージャを提供することにある。
【課題を解決するための手段】
【０００７】
本発明に係る上記目的は、下記構成により達成される。
（１）  クロージャ本体と、前記クロージャ本体の開放面を開閉可能に覆う蓋体と、前記クロージャ本体と前記蓋体とにより挟み込まれたフレームと、を備える光ケーブル接続用クロージャであって、前記クロージャ本体は、ドロップケーブルを導出入するドロップケーブル導出入部を備え、前記ドロップケーブル導出入部から導出入される前記ドロップケーブルを位置決め固定するドロップケーブル把持部が、前記フレームとプラスチック樹脂で一体成形されて前記クロージャ本体の外部に突出するように設けられ、前記ドロップケーブル導出入部は、水平より下方に向く直線状のドロップケーブル導出入孔を有し、前記ドロップケーブル把持部には、前記ドロップケーブル導出入孔の延長線上に、ドロップケーブル把持孔が形成されることを特徴とする光ケーブル接続用クロージャ。
【０００８】
この光ケーブル接続用クロージャによれば、金属製の別部材であったフレームとドロップケーブル把持部が、ドロップケーブル把持部をクロージャ本体の外部に突出させたプラスチック樹脂製の一体成形部材となり、部品点数が削減され、組付け作業が不要となり、且つ軽量化される。ドロップケーブル導出入部から外部へ導出入された直後のドロップケーブルをドロップケーブル把持部が支持することとなり、ドロップケーブルが剛性で屈曲してドロップケーブル導出入部の防水性を損ねることがなくなる。
また、この光ケーブル接続用クロージャによれば、ドロップケーブル導出入部に形成されるドロップケーブル導出入孔が水平より下方に向く俯角に形成され、雨水等による飛水自体が起こりにくくなっている。これに加え、ドロップケーブル導出入孔から外部へ導出された直後のドロップケーブルがドロップケーブル導出入孔の延長線上に形成されるドロップケーブル把持孔によって支持されることで、外部で支持されるドロップケーブル導出入部とドロップケーブル把持部の間のドロップケーブルが俯角で支持され、ドロップケーブルが必ずドロップケーブル導出入部に垂直に導出入されるので防水機能が低下することがない。
【００１１】
（２）  （１）の光ケーブル接続用クロージャであって、前記フレームには電柱等により支持された架空の吊線に該フレームを吊持させる吊持部がプラスチック樹脂で一体成形されることを特徴とする光ケーブル接続用クロージャ。
【００１２】
この光ケーブル接続用クロージャによれば、吊持部もフレームと一体成形され、さらに部品点数が削減され、組付け作業が不要となり、且つ軽量化される。また、外部に露出する吊持部がプラスチック樹脂となることで塩害地域での腐食の危惧もなくなる。
【発明の効果】
【００１３】
本発明に係る光ケーブル接続用クロージャによれば、部品点数を削減し、組付けコストを低減でき、軽量化を図れるとともに、防水性も向上させることができる。
【図面の簡単な説明】
【００１４】
【図１】本発明に係る光ケーブル接続用クロージャの要部外観斜視図である。
【図２】蓋体を開放したクロージャ本体の正面図である。
【図３】図２の平面図である。
【図４】図２を吊線に沿う方向から見た側面図である。
【図５】蓋体を開放したクロージャ本体の要部斜視図である。
【発明を実施するための形態】
【００１５】
以下、本発明の実施の形態を図面を参照して説明する。
図１は本発明に係る光ケーブル接続用クロージャの要部外観斜視図、図２は蓋体を開放したクロージャ本体の正面図、図３は図２の平面図、図４は図２を吊線に沿う方向から見た側面図、図５は蓋体１９を開放したクロージャ本体１３の要部斜視図である。
光ケーブル接続用クロージャ１１は、正面側を開放した略箱形のクロージャ本体１３と、クロージャ本体１３の開放面１７を開閉可能に覆う蓋体１９と、クロージャと蓋体１９とにより挟み込まれたフレーム１５とを備えており、フレーム１５の両端に形成した吊持部２１を電柱等により支持された不図示の架空の吊線に吊持させて、通信事業者のネットワークの光ケーブルと加入者宅に引き込むドロップケーブル２３とを架空で接続する場合に使用される。
【００１６】
光ケーブル接続用クロージャ１１は、不図示の架空の光ケーブルを導出入する光ケーブル導出入部２５と、ドロップケーブル２３を導出入するドロップケーブル導出入部２７と、光ケーブルから引き出した光ファイバ心線とドロップケーブル２３とを接続した接続部を収納する接続トレイ収容部２９と、をクロージャ本体１３内に配備している。ドロップケーブル導出入部２７は、接続トレイ収容部２９から引き出されるドロップケーブル２３を導出入するもので、本実施の形態では、左右に後述する二つのドロップケーブル導出入孔を有している。つまり、一つのドロップケーブル用クロージャから４本のドロップケーブル２３が導出入可能となっている。
【００１７】
ドロップケーブル導出入部２７は、約３０度の下向き傾斜でドロップケーブル２３を通過させるように、クロージャ本体１３及び蓋体１９に形成されている。なお、傾斜させる角度は１０度〜６０度が好ましく、より好適には、１５度〜４５度である。ドロップケーブル導出入部２７には、ドロップケーブル２３の断面形状に相応する偏平な形状のドロップケーブル導出入孔３３が端縁に開放するスリット状に複数形成されている。ドロップケーブル導出入孔３３をスリット状にしたのは、ドロップケーブル２３を割り込ませることで、簡単に挿通状態を得られるようにして、作業性を向上させるためである。
【００１８】
ドロップケーブル導出入部２７は、これらのドロップケーブル導出入孔３３から雨水等がクロージャ内部に進入しないように、クロージャ本体１３及び蓋体１９の端壁部に多重に形成された隔壁３５が当接又は係合する構造になっている。ドロップケーブル導出入部２７は、クロージャ本体１３及び蓋体１９に形成され、隔壁３５による挟持によってドロップケーブル２３をクロージャ本体１３及び蓋体１９にしっかりと固定するようになされている。
【００１９】
クロージャ本体１３の外部には、ドロップケーブル導出入部２７から導出入されるドロップケーブル２３を位置決め固定するドロップケーブル把持部３７が突出されている。このドロップケーブル把持部３７は、フレーム１５の両端に垂設された導出入部支持片３１に形成されている。光ケーブル接続用クロージャ１１は、上記したフレーム１５と、ドロップケーブル把持部３７とが、プラスチック樹脂によって一体成形されている。
【００２０】
また、フレーム１５には、電柱等により支持された架空の吊線にフレーム１５を吊持させる上記の吊持部２１が、プラスチック樹脂でフレーム１５に一体成形されている。つまり、フレーム１５と、ドロップケーブル把持部３７と、吊持部２１とはプラスチック樹脂製の一体部材となっている。
【００２１】
ドロップケーブル導出入部２７に形成される上記のドロップケーブル導出入孔３３は、水平より下方に向く直線状の導出入孔となる。ドロップケーブル把持部３７には、このドロップケーブル導出入孔３３の延長線上に、直線状のドロップケーブル把持孔３９が形成されている。つまり、ドロップケーブル導出入部２７から導出入された直後のドロップケーブル２３は、その延長線上でドロップケーブル把持部３７のドロップケーブル把持孔３９にて把持されるようになされている。
【００２２】
次に、上記構成を有する光ケーブル接続用クロージャ１１の作用を説明する。
光ケーブル接続用クロージャ１１では、金属製の別部材であったフレーム１５とドロップケーブル把持部３７が、クロージャ本体１３の外部にドロップケーブル把持部３７を突出させたプラスチック樹脂製の一体成形部材となり、結果、部品点数が削減され、組付け作業が不要となり、且つ軽量化されている。
【００２３】
ドロップケーブル導出入部２７から外部へ導出入された直後のドロップケーブル２３ａは、図２に示すように、ドロップケーブル把持部３７によって支持されることとなり、ドロップケーブル２３が剛性で屈曲してドロップケーブル導出入部２７の防水性を損ねることがなくなる。
【００２４】
また、吊持部２１もフレーム１５と一体成形され、さらに部品点数が削減され、組付け作業が不要となり、且つ軽量化される。外部に露出する吊持部２１は、プラスチック樹脂となることで、塩害地域での腐食の危惧もなくなる。
【００２５】
さらに、ドロップケーブル導出入部２７に形成されるドロップケーブル導出入孔３３は、水平より下方に向く俯角に形成され、雨水等による飛水自体が起こりにくくなっている。これに加え、ドロップケーブル導出入孔３３から外部へ導出された直後のドロップケーブル２３ａがドロップケーブル導出入孔３３の延長線４１上に形成されるドロップケーブル把持孔３９によって支持される。このことで、外部で支持されるドロップケーブル導出入部２７とドロップケーブル把持部３７の間のドロップケーブル２３ａは、俯角で支持されることになり、ドロップケーブル２３が必ずドロップケーブル導出入部２７に垂直の姿勢で導出入され、防水性能が確実に確保されるようになされている。
【００２６】
したがって、本実施の形態に係る光ケーブル接続用クロージャ１１によれば、部品点数を削減し、組付けコストを低減でき、軽量化を図れるとともに、防水性も向上させることができる。
【符号の説明】
【００２７】
１１  光ケーブル接続用クロージャ
１３  クロージャ本体
１５  フレーム
１７  開放面
１９  蓋体
２１  吊持部
２３  ドロップケーブル
２７  ドロップケーブル導出入部
３３  ドロップケーブル導出入孔
３７  ドロップケーブル把持部
３９  ドロップケーブル把持孔
４１  延長線
【図１】
0005659391.tif 000002
【図２】
0005659391.tif 000003
【図３】
0005659391.tif 000004
【図４】
0005659391.tif 000005
【図５】
0005659391.tif 000006